(57)【要約】【課題】停電時であってもライトを点灯させることができ、かつ携帯電話などを充電できるナイトライトを提供する。【解決手段】壁面１１に設けられる電源コンセント１２に電気的に着脱可能に設けられるナイトライト１であって、ケース本体２と、ケース本体２の表面２ａに設けられ電源コンセント１２に差し込み可能な差込プラグ３と、ケース本体２の裏面２ｂに設けられ電源コンセント１２からの電気によって点灯するライト４と、ケース本体２内に収容され差込プラグ３を電源コンセント１２に差し込んだときに充電されるバッテリー５と、裏面２ｂに設けられたＵＳＢポート６と、を備え、ライト４及びＵＳＢポート６は、バッテリー５に電気的に接続され、停電時には、バッテリー５に充電されている電気をライト４及びＵＳＢポート６で使用可能な構成とした。【選択図】図１
0003230641.tif 000002
【実用新案登録請求の範囲】
【請求項１】
被取付部に設けられる電源コンセントに電気的に着脱可能に設けられるナイトライトであって、
ケース本体と、
前記ケース本体の表裏面のうち一方の第１面に設けられ前記被取付部の前記電源コンセントに差し込み可能な差込プラグと、
前記ケース本体の他方の第２面に設けられ前記電源コンセントからの電気によって点灯するライトと、
前記ケース本体内に収容され前記差込プラグを前記電源コンセントに差し込んだときに充電されるバッテリーと、
前記第２面に設けられたＵＳＢポートと、
を備え、
前記ライト及び前記ＵＳＢポートは、前記バッテリーに電気的に接続され、
停電時には、前記バッテリーに充電されている電気を前記ライト及び前記ＵＳＢポートで使用可能に設けられていることを特徴とするナイトライト。
【請求項２】
前記第２面には、前記差込プラグに電気的に接続されたＡＣタップが設けられていることを特徴とする請求項１に記載のナイトライト。
【請求項３】
前記第２面には、前記ライトをオンオフ操作するスイッチが設けられ、
停電時には、前記ライトが前記バッテリーから給電して自動で点灯することを特徴とする請求項１又は２に記載のナイトライト。
【考案の詳細な説明】
【技術分野】
【０００１】
本考案は、ナイトライトに関するものである。
【背景技術】
【０００２】
従来、ナイトライトとして、例えば特許文献１に示されるように壁面に設けられる電源コンセントに電気的に着脱可能に設けられたものが知られている。このようなナイトライトでは、電源コンセントに差込プラグを差し込んだ状態でライトが点灯するようになっている。
【先行技術文献】
【特許文献】
【０００３】
【特許文献１】特開２００９−５４４９５号公報
【考案の概要】
【考案が解決しようとする課題】
【０００４】
従来のナイトライトでは、停電時においてライトに電気が供給されずに消灯してしまうという問題があった。また、停電時には、上述したナイトライトが消灯するだけではなく、携帯電話などの充電が不足することがある。とくに、充電器の充電のし忘れによって停電時に充電器から携帯電話などに十分に充電ができないという問題があり、その点で改善の余地があった。
【０００５】
本考案は、停電時であってもライトを点灯させることができ、かつ携帯電話などを充電できるナイトライトを提供する。
【課題を解決するための手段】
【０００６】
本考案の一態様のナイトライトは、被取付部に設けられる電源コンセントに電気的に着脱可能に設けられるナイトライトであって、ケース本体と、前記ケース本体の表裏面のうち一方の第１面に設けられ前記被取付部の前記電源コンセントに差し込み可能な差込プラグと、前記ケース本体の他方の第２面に設けられ前記電源コンセントからの電気によって点灯するライトと、前記ケース本体内に収容され前記差込プラグを前記電源コンセントに差し込んだときに充電されるバッテリーと、前記第２面に設けられたＵＳＢポートと、を備え、前記ライト及び前記ＵＳＢポートは、前記バッテリーに電気的に接続され、停電時には、前記バッテリーに充電されている電気を前記ライト及び前記ＵＳＢポートで使用可能に設けられていることを特徴としている。
【考案の効果】
【０００７】
本考案のナイトライトによれば、停電時であってもライトを点灯させることができ、かつ携帯電話などを充電できるナイトライトを提供することができる。
【図面の簡単な説明】
【０００８】
【図１】本考案の一実施形態である実施形態によるナイトライトの一例を示す斜視図である。
【図２】図１に示すナイトライトを電源コンセントに差し込んだ状態を示す斜視図である。
【図３】ナイトライトの表面を示す図である。
【図４】ナイトライトの裏面を示す図である。
【図５】図３に示すＡ−Ａ線矢視図であって、ナイトライトの側面図である。
【図６】ケース本体の収容体の裏面を省略した状態を裏面側からみた図である。
【図７】ナイトライトの電気回路図である。
【考案を実施するための形態】
【０００９】
以下、本考案の一実施形態によるナイトライトについて、図面に基づいて説明する。
【００１０】
図１及び図２に示すように、本実施形態によるナイトライト１は、壁面１１（被取付部）に設けられる電源コンセント１２に電気的に着脱可能に設けられ、照明を点灯させることにより夜間、あるいは暗い箇所の足元を照らす際に用いられる。
【００１１】
ナイトライト１は、ケース本体２と、ケース本体２の表裏面のうち表面２ａ（第１面）に設けられ壁面１１の電源コンセント１２に差し込み可能な差込プラグ３と、ケース本体２の裏面２ｂ（第２面）に設けられ電源コンセント１２からの電気によって点灯するライト４と、ケース本体２内に収容され差込プラグ３を電源コンセント１２に差し込んだときに充電されるバッテリー５と、裏面２ｂに設けられたＵＳＢポート６と、裏面２ｂに設けられ差込プラグ３に電気的に接続されたＡＣタップ７と、を備えている。
【００１２】
以下の説明において、表面２ａと裏面２ｂとを結ぶ方向を表裏方向Ｚとし、裏面２ｂから見て差込プラグ３とライト４とを結ぶ方向を上下方向Ｙとし、裏面２ｂから見て上下方向Ｙに直交する方向を左右方向Ｘとする。また、上下方向Ｙにおいて、差込プラグ３側を上側とし、ライト４側を下側とする。
【００１３】
ケース本体２は、図３〜図５に示すように、箱状に形成されている。ケース本体２は、裏面２ｂを有しバッテリー５（図６参照）や電気回路５０（図７参照）が収容される収容体２１と、収容体２１の開口を覆うとともに表面２ａを有するカバー体２２と、を備えている。収容体２１は、裏面２ｂ、上壁、下壁、及び左右の側壁から構成されている。カバー体２２は、表面２ａ、上壁、下壁、及び左右の側壁から構成されている。
収容体２１とカバー体２２とは、開閉不能に一体的に接合されていてもよいし、開閉可能に設けられていてもよい。
【００１４】
図３に示すように、カバー体２２の表面２ａおよび上壁には、それらの左右方向Ｘの中央に収容凹部２３が形成されている。差込プラグ３は、収容凹部２３おいて、左右方向Ｘを回転軸とし回動可能に設けられている。すなわち、差込プラグ３は、表面２ａから垂直方向に突出する差込位置Ｐ１（図５参照）と、収容凹部２３に収容される収容位置との間で回転される。差込プラグ３は、差込位置Ｐ１において電源コンセント１２に差し込まれる。
【００１５】
収容体２１の裏面２ｂには、図４に示すように、ライト４、一対のＵＳＢポート６（６Ａ、６Ｂ）、ＡＣタップ７、及び照明スイッチ８が設けられている。また、収容体２１の裏面２ｂには、バッテリー５の充電容量を表示する容量表示ランプ９が設けられている。
【００１６】
ライト４は、収容体２１の下端部に設けられている。ライト４は、バッテリー５に接続され、照明スイッチ８をオン／オフ操作することにより点灯／消灯される。ライト４は、図６及び図７に示すように、照明スイッチ８を介して差込プラグ３及びバッテリー５に接続されたＬＥＤランプ４１と、ＬＥＤランプ４１を覆うＬＥＤカバー４２と、を有している。ＬＥＤカバー４２は、図４及び図５に示すように、収容体２１の一部を構成している。差込プラグ３が電源コンセント１２に差し込まれて電気が供給されているときには、差込プラグ３によってライト４が点灯する。一方、停電時において差込プラグ３からの給電が停止したときには、ライト４が充電されているバッテリー５から給電して自動で点灯する。すなわち、ライト４は、差込プラグ３からの電気の供給がなくなったときに、バッテリー５からの給電に切り替わってオンになる。
【００１７】
バッテリー５は、図６に示すように収容体２１に収容され、差込プラグ３に接続されて電源コンセント１２から電気が充電される。バッテリー５に充電された電気は、ライト４およびＵＳＢポート６に給電される。バッテリー５としては、リチウムバッテリーが使用され、バッテリー容量としては例えば８０００ｍＡｈを採用できる。本実施形態のナイトライト１では、非常時に停電した際にバッテリー５をフルに使用できる。
【００１８】
図２、図４、及び図６に示すように、容量表示ランプ９は、裏面２ｂの右上に上下方向Ｙに４つのランプが配列されて構成されている。容量表示ランプ９は、充電中はランプ点滅し、充電完了になると全点灯となる。
【００１９】
一対のＵＳＢポート６Ａ、６Ｂは、それぞれ上下方向Ｙの略中間部で左右に並んで配置されている。ＵＳＢポート６Ａ、６Ｂは、バッテリー５に電気的に接続されている。ＵＳＢポート６は、例えば携帯電話などの充電に使用することができる。ＵＳＢポート６は、過電流が流れると給電しなくなるように設定されている。
【００２０】
ＡＣタップ７は、裏面２ｂのＵＳＢポート６より上方に設けられ、差込プラグ３に接続さえている。ＡＣタップ７は、差込プラグ３を電源コンセント１２に差し込んで電気が供給される場合に、電気機器の電源コンセントとして使用できる。ＡＣタップ７は、図２に示すように、ナイトライト１を壁面１１に取り付けた状態で壁面１１に設けられる電源コンセント１２と同じ方向を向くように設けられている。
【００２１】
図７は、ナイトライト１の電気回路を示している。差込プラグ３は、ＡＣタップ７に電気的に接続され、さらに第１電気回路１３、第２電気回路１４、第３電気回路１５を介してバッテリー５、ライト４、およびＵＳＢポート６に接続されている。
【００２２】
次に、本実施形態によるナイトライト１の作用について、図面に基づいて詳細に説明する。図１及び図２に示すように、本実施形態のナイトライト１では、通常、夜間や暗い箇所の足元を照らすナイトライト機能として使用する際には、差込プラグ３を収納位置から差込位置Ｐ１に回転させて表面２ａ側に突出させ、壁面１１の電源コンセント１２に差込プラグ３を差し込む。このとき、図４に示すように、ライト４、ＵＳＢポート６、ＡＣタップ７、照明スイッチ８及び容量表示ランプ９が設けられるケース本体２の裏面２ｂが外側に露出した状態で設置される。そして、差込プラグ３を電源コンセント１２に差した状態で照明スイッチ８をオンにすることで、ライト４を点灯させることができる。照明スイッチ８をオフにすることでライト４を消灯できる。
【００２３】
そして、差込プラグ３を電源コンセント１２に差し込むことにより、収容体２１に収容されているバッテリー５を充電できる。バッテリー５の充電状態、すなわちバッテリー容量は、裏面２ｂの容量表示ランプ９により確認することができる。本実施形態では、容量表示ランプ９は４つのランプからなり、これら４つ全てが点灯したときにフル充電となる。
【００２４】
また、差込プラグ３を電源コンセント１２に差し込むことにより、裏面２ｂのＡＣタップ７を他の電気機器の電源コンセントとして使用することができる。つまり、本実施形態のナイトライト１では、壁面１１の電源コンセント１２の一つをライト４用として使用するが、裏面２ｂのＡＣタップ７を使用できるので、コンセントの数を減らすことなくライト４として機能させることできる。
【００２５】
停電時は、電源コンセント１２からの電気がナイトライト１に供給されなくなるが、その電気の供給が停止されると同時に収容体２１に収容されているバッテリー５からの給電に自動的に切り替わる。つまり、停電時であってもライト４の点灯が維持される。
【００２６】
また、停電時では携帯電話等の電子機器を充電することが求められるが、本ナイトライト１では、バッテリー５に接続されたＵＳＢポート６を有しているので、ＵＳＢポート６に差し込まれるＵＳＢを介して携帯電話を繋ぎ、停電前の通常時に充填されているバッテリー５の電気によって携帯電話を充電することができる。この場合には、通常時にナイトライト機能としてライト４を点灯させる際に、バッテリー５を充電することができるので、充電のし忘れを防止でき、停電時において上述したように携帯電話の充電を確実に行うことができる。しかも、充電されたバッテリー５を備えたナイトライト１を電源コンセント１２から取り外すことで持ち歩きがし易いという利点がある。
【００２７】
また、本実施形態では、ケース本体２の裏面２ｂには、差込プラグ３に電気的に接続されたＡＣタップ７が設けられているので、ナイトライト１の差込プラグ３を電源コンセント１２に差し込んで使用しても、ＡＣタップ７を使用することができる。そのため、コンセントの数量を減らすことなく、ナイトライト１を設置することができる。
【００２８】
さらに、本実施形態では、裏面２ｂには、ライト４をオンオフ操作する照明スイッチ８が設けられ、停電時には、ライト４がバッテリー５から給電して自動で点灯するように構成されているので、通常時或いは停電時において、必要に応じで照明スイッチ８をオンオフ操作することによってライト４を点灯または消灯させることができる。とくに、停電になったときには、充電されたバッテリー５の電気を使用して自動的にライト４を点灯させることができるので、停電時にライトを探したり、点灯させるための操作を行う必要がない。
【００２９】
本実施形態によるナイトライト１では、停電時であってもライト４を点灯させることができ、かつ携帯電話などを充電できる。
【００３０】
以上、本考案によるナイトライトの実施形態について説明したが、本考案は上記の実施形態に限定されるものではない。
【００３１】
例えば、本実施形態では、差込プラグ３に電気的に接続されたＡＣタップ７がケース本体２の裏面２ｂに設けられた構成としているが、ＡＣタップ７を省略することも可能である。
【００３２】
また、本実施形態では、ライト４をオンオフ可能な照明スイッチ８を設けた構成としているが、これに限定されることはなく、このような照明スイッチ８を省略してもよい。
【００３３】
また、ＵＳＢポート６、ＡＣタップ７の数量や配置位置などの構成は適宜変更可能である。例えば、本実施形態では、ＵＳＢポート６が２つ設けられているが、１つ、あるいは３つ以上設けられていてもよい。
【００３４】
その他、本考案の趣旨を逸脱しない範囲で、上記した実施形態における構成要素を周知の構成要素に置き換えることは適宜可能である。
【符号の説明】
【００３５】
１…ナイトライト、２…ケース本体、２ａ…表面（第１面）、２ｂ…裏面（第２面）、３…差込プラグ、４…ライト、５…バッテリー、６…ＵＳＢポート、７…ＡＣタップ、８…照明スイッチ（スイッチ）、９…容量表示ランプ、１１…壁面（被取付部）、１２…電源コンセント、２１…収容体、２２…カバー体、２３…収容凹部、Ｘ…左右方向、Ｙ…上下方向、Ｚ…表裏方向
【図１】
0003230641.tif 000003
【図２】
0003230641.tif 000004
【図３】
0003230641.tif 000005
【図４】
0003230641.tif 000006
【図５】
0003230641.tif 000007
【図６】
0003230641.tif 000008
【図７】
0003230641.tif 000009